【手続補正書】
【提出日】平成22年6月15日(2010.6.15)
【手続補正１】
【補正対象書類名】明細書
【補正対象項目名】発明の名称
【補正方法】変更
【補正の内容】
【発明の名称】光ヘッド装置
【手続補正２】
【補正対象書類名】明細書
【補正対象項目名】０００１
【補正方法】変更
【補正の内容】
【０００１】
本発明は、少なくとも２つの波長の光を光源とする光ディスクなどの光記録媒体用の記録装置や再生装置などに用いる光ヘッド装置に関する。
【手続補正３】
【補正対象書類名】明細書
【補正対象項目名】００１８
【補正方法】変更
【補正の内容】
【００１８】
本発明の目的は、２波長用半導体レーザを光源として２つの波長帯の光によりＣＤ系光ディスクおよびＤＶＤ系光ディスクなどのような異種の光記録媒体への情報の記録・再生を行う際に、安定した信号検出ができる光ヘッド装置を提供することである。
【手続補正４】
【補正対象書類名】明細書
【補正対象項目名】００１９
【補正方法】変更
【補正の内容】
【００１９】
本発明は、波長λ１の光および波長λ２（λ１≠λ２）の光を出射する光源と、前記波長λ１の光および前記波長λ２の光を偏向するビームスプリッタと、前記波長λ１の光および前記波長λ２の光を光記録媒体に集光する対物レンズと、前記光記録媒体の情報記録面で反射した信号光を受光する光検出器と、を備え、前記光記録媒体に情報の記録・再生を行う光ヘッド装置であって、前記波長λ１の光および前記波長λ２の光の偏波面が互いに平行で共通する光路中に２波長用回折素子を備え、前記２波長用回折素子は、前記波長λ１の光および前記波長λ２の光の入射側から位相板と、偏光性の回折格子を有し、前記位相板は、前記波長λ１の光と前記波長λ２の光うち、いずれか一方の光に対して２π・（ｍ１−１／２）の位相差を発生して（ｍ１は自然数）前記第１の直線偏光と直交する第２の直線偏光を出射するとともに、他方の光に対して２π・ｍ２の位相差を発生して（ｍ２は自然数）前記第１の直線偏光を出射し、前記偏光性の回折格子は、第１の偏光性の回折格子と、第２の偏光性の回折格子と、を有し、前記第１の偏光性の回折格子は、前記第１の直線偏光と前記第２の直線偏光のうち、いずれか一方を回折させずに透過させるとともに、他方を回折させ、前記第２の偏光性の回折格子は、前記第１の直線偏光と前記第２の直線偏光のうち、前記第１の偏光性の回折格子で回折させる方の直線偏光を回折させずに透過させるとともに、他方を回折させる光ヘッド装置を提供する。
【手続補正５】
【補正対象書類名】明細書
【補正対象項目名】００２０
【補正方法】変更
【補正の内容】
【００２０】
また、前記偏光性の回折格子は、階段状またはブレーズ状に形成され複屈折性材料からなる偏向機能層を有し、前記第１の直線偏光と前記第２の直線偏光のうち、いずれか一方を回折させずに透過させるとともに、他方を回折させて前記波長λ１の光と前記波長λ２の光の光軸をそろえる上記の光ヘッド装置を提供する。
【手続補正６】
【補正対象書類名】明細書
【補正対象項目名】００２１
【補正方法】変更
【補正の内容】
【００２１】
また、前記波長λ１は、ＤＶＤ系の６５０ｎｍ波長帯であり、波長λ２は、ＣＤ系の７９０ｎｍ波長帯である上記の光ヘッド装置を提供する。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２８
【補正方法】変更
【補正の内容】
【００２８】
［第１実施形態］
図１は、本発明の第１実施形態に係る光ヘッド装置に用いる２波長用回折素子の構成を示す模式図である。２波長用回折素子１は、回折格子と位相板とが一体化された構成となっている。この２波長用回折素子１は、概略構成として、第１の透光性基板１１Ａと、位相板１１Ｃと、第２の透光性基板１１Ｄとを互いに接着剤１１Ｅで接着した３層構造となっている。
【手続補正１１】
【補正対象書類名】明細書
【補正対象項目名】００３４
【補正方法】変更
【補正の内容】
【００３４】
［第２実施形態］
図２は、本発明の第２実施形態に係る光ヘッド装置に用いる２波長用回折素子の構成を示す模式図である。第２実施形態は前述した第１実施形態の変形例を示す。
【手続補正１２】
【補正対象書類名】明細書
【補正対象項目名】００３７
【補正方法】変更
【補正の内容】
【００３７】
［第３実施形態］
図３は、本発明の第３実施形態に係る光ヘッド装置に用いる２波長用回折素子の構成を示す模式図である。この第３実施形態に係る光ヘッド装置に用いる２波長用回折素子２は、第１実施形態と同様に、回折格子と位相板とが一体化されて構成され、第１の透光性基板２１Ａと、位相板２１Ｃと、第２の透光性基板２１Ｄとを互いに充填材２１Ｆおよび接着剤２１Ｅで接着した３層構造となっている。
【手続補正１３】
【補正対象書類名】明細書
【補正対象項目名】００４４
【補正方法】変更
【補正の内容】
【００４４】
［第４実施形態］
図４は、本発明の第４実施形態に係る光ヘッド装置に用いる２波長用回折素子の構成を示す模式図である。第４実施形態は前述した第３実施形態の変形例を示す。
【手続補正１４】
【補正対象書類名】明細書
【補正対象項目名】００５０
【補正方法】変更
【補正の内容】
【００５０】
［第５実施形態］
図５は、本発明の第５実施形態に係る光ヘッド装置に用いる２波長用回折素子の構成を示す模式図である。第５実施形態の２波長用回折素子２Ａは、前述した第１から第４実施形態の２波長用回折素子１または２に、波長λ１と波長λ２の入射光のうちで一方の波長のみを偏向する偏向機能層が付加された形態である。
【手続補正１５】
【補正対象書類名】明細書
【補正対象項目名】００６０
【補正方法】変更
【補正の内容】
【００６０】
［第６実施形態］
次に、第６実施形態として、上述した第１〜第５実施形態に係る光ヘッド装置に用いる２波長用回折素子を搭載した光ヘッド装置について説明する。図６は第６実施形態に係る光ヘッド装置を示す概略構成図である。
【手続補正１６】
【補正対象書類名】特許請求の範囲
【補正対象項目名】全文
【補正方法】変更
【補正の内容】
【特許請求の範囲】
【請求項１】
波長λ１の光および波長λ２（λ１≠λ２）の光を出射する光源と、前記波長λ１の光および前記波長λ２の光を偏向するビームスプリッタと、前記波長λ１の光および前記波長λ２の光を光記録媒体に集光する対物レンズと、前記光記録媒体の情報記録面で反射した信号光を受光する光検出器と、を備え、前記光記録媒体に情報の記録・再生を行う光ヘッド装置であって、
前記波長λ１の光および前記波長λ２の光の偏波面が互いに平行で共通する光路中に２波長用回折素子を備え、
前記２波長用回折素子は、前記波長λ１の光および前記波長λ２の光の入射側から位相板と、偏光性の回折格子を有し、
前記位相板は、前記波長λ１の光と前記波長λ２の光うち、いずれか一方の光に対して２π・（ｍ１−１／２）の位相差を発生して（ｍ１は自然数）前記第１の直線偏光と直交する第２の直線偏光を出射するとともに、他方の光に対して２π・ｍ２の位相差を発生して（ｍ２は自然数）前記第１の直線偏光を出射し、
前記偏光性の回折格子は、第１の偏光性の回折格子と、第２の偏光性の回折格子と、を有し、
前記第１の偏光性の回折格子は、前記第１の直線偏光と前記第２の直線偏光のうち、いずれか一方を回折させずに透過させるとともに、他方を回折させ、
前記第２の偏光性の回折格子は、前記第１の直線偏光と前記第２の直線偏光のうち、前記第１の偏光性の回折格子で回折させる方の直線偏光を回折させずに透過させるとともに、他方を回折させる光ヘッド装置。
【請求項２】
前記偏光性の回折格子は、階段状またはブレーズ状に形成され複屈折性材料からなる偏向機能層を有し、前記第１の直線偏光と前記第２の直線偏光のうち、いずれか一方を回折させずに透過させるとともに、他方を回折させて前記波長λ１の光と前記波長λ２の光の光軸をそろえる請求項１に記載の光ヘッド装置。
【請求項３】
前記波長λ１は、ＤＶＤ系の６５０ｎｍ波長帯であり、波長λ２は、ＣＤ系の７９０ｎｍ波長帯である請求項１または請求項２に記載の光ヘッド装置。